(57)【要約】【課題】作業性の改善を図ることができ、しかも切り屑の発生を抑制して清浄性を向上させる。【解決手段】天井に吊り下げられる長尺のもので、幅方向に間隔をあけて並設される主梁部材１０と、主梁部材１０の隣り合うもの同士に両端部が連結される副梁部材２０と、副梁部材２０にスライド可能に取付けられ、副梁部材２０の端部から外方に突出させることで主梁部材１０と副梁部材２０との結合状態をロックするために用いる連結棒３０とを有し、主梁部材１０は並設方向の両側各々に長手方向に沿って設けられた、副梁部材２０の端部を引っ掛けるための上方開口の第１凹溝１３、および、連結棒３０が挿入される側方開口の第２凹溝１５を有し、副梁部材２０は、両端部の各々に第１凹溝１３に入って係止される係止部２６が設けられ、両側面に副梁部材２０の長手方向に沿って連結棒３０がスライド可能に取付けられる第３凹溝２７が設けられている。【選択図】　　　図１
2004003252.tif 000002
【特許請求の範囲】
【請求項１】
天井パネルの縁部を支持するための天井パネル用梁構造であって、
ルーム天井に吊り下げられる長尺のもので、幅方向に間隔をあけて並設される主梁部材と、
該主梁部材の隣り合うもの同士に両端部が連結される副梁部材とを有し、
上記主梁部材は、幅方向の両側の少なくとも一方に長手方向に沿って、副梁部材の端部を係止させる第１凹溝を有し、
上記副梁部材は、両端部のそれぞれに、上記第１凹溝に入って係止される第１係止部を有し、
更に、第１係止部が第１凹溝に入って係止される状態を、機械的な変位により保持するロック手段を具備することを特徴とする天井パネル用梁構造。
【請求項２】
前記第１凹溝は上方が開口したもので、前記第１係止部は上記第１凹溝に上方から入る鉤形状に形成され、前記ロック手段は主梁部材の副梁部材よりも上方位置に設けた係合部に上端部を係合させ、その状態で揺動させることで下端部が副梁部材の上方への移動を防止する構成となっていることを特徴とする請求項１に記載の天井パネル用梁構造。
【請求項３】
前記第１凹溝および前記第１係止部が、高さを異ならせて複数設けられていることを特徴とする請求項２に記載の天井パネル用梁構造。
【請求項４】
主梁部材は、その幅方向の両側の少なくとも一方に、副梁部材の端部が載置される載置部を有し、その載置部に副梁部材の端部を上方から載置させたとき、副梁部材の第１係止部のうちの一つが主梁部材の該当する第１凹溝に入って係止されると同時に、副梁部材の残りの第１係止部が主梁部材の残りの該当する第１凹溝に入って係止されるように構成されていることを特徴とする請求項３に記載の天井パネル用梁構造。
【請求項５】
前記第１凹溝は上方が開口したもので、前記第１係止部は前記第１凹溝に入って係止される鉤形状に形成されたものであり、
前記ロック手段は、前記主梁部材の幅方向の両側の少なくとも一方に長手方向に沿って設けられた、側方が開口した第２凹溝と、前記副梁部材の長手方向に沿って設けられた第３凹溝にスライド可能に取付けられ、副梁部材の端部から外方に突出させることで上記第２凹溝に入る連結棒とを有するものであることを特徴とする請求項１に記載の天井パネル用梁構造。
【請求項６】
主梁部材は、その幅方向の両側の少なくとも一方に、副梁部材の端部が載置される載置部を有し、その載置部に副梁部材の端部を上方から載置させたとき、副梁部材の係止部が主梁部材の第１凹溝に入って係止されるとともに、副梁部材の第３凹溝が主梁部材の第２凹溝に一致する高さになるように構成されていることを特徴とする請求項５に記載の天井パネル用梁構造。
【請求項７】
前記載置部の上方に第２凹溝が、その第２凹溝の上に第１凹溝が形成されており、第２凹溝は第１凹溝よりも載置部寄りの位置に設けられていることを特徴とする請求項６に記載の天井パネル用梁構造。
【請求項８】
副梁部材の端部の下端が、主梁部材の載置部の厚み分だけ切欠かれていて、主梁部材に副梁部材の端部を連結させた状態で、主梁部材の下面と副梁部材の下面とが面一となるように構成されていることを特徴とする請求項４、６又は７に記載の天井パネル用梁構造。
【請求項９】
副梁部材の端部の下端が主梁部材の載置部の厚み分だけ切欠かれている部分の該端部からの長さが、主梁部材の載置部の幅寸法とほぼ一致するように設定されていることを特徴とする請求項８に記載の天井パネル用梁構造。
【請求項１０】
前記主梁部材は、幅方向の両側の少なくとも一方に長手方向に沿って第４凹溝が形成され、該第４凹溝にスライド可能に第２連結棒が取付けられ、該第２連結棒を介して長手方向に並設される主梁部材同士が連結されることを特徴とする請求項１乃至９のいずれかに記載の天井パネル用梁構造。
【請求項１１】
前記主梁部材は、幅方向の両側の少なくとも一方に長手方向に沿って第５凹溝が形成され、該第５凹溝は、円弧状であって、開口を内奥部よりも狭くして形成され、前記ロック手段は、上記第５凹溝に取付けられる、断面が概略円弧状をした取付部が、一端側の縁に沿って設けられたものであり、該取付部がその曲率半径を上記第５凹溝の曲率半径とほぼ同一に、かつ取付部の一部外周にその長手方向に沿って上記開口を通すための切欠き部が形成されていることを特徴とする請求項１乃至９のいずれかに記載の天井パネル用梁構造。
【発明の詳細な説明】
【０００１】
【発明の属する技術分野】
本発明は、半導体製造工場等で採用されるクリーンルームなどに用いられる天井パネルの縁部を支持するための天井パネル用梁構造に関する。
【０００２】
【従来の技術】
上述した天井パネル用梁構造として、図２５に示すものが知られている。この梁構造は、同一断面形状に形成された長尺の梁部材を、天井に上端が取付けらけれた吊り下げ部材を介して吊り下げ、各種ジョイントを用いて格子状に連結することで構成されている。
【０００３】
例えば、梁部材１００の途中の片側に別の梁部材１０１を突き合わせる場合には、別の梁部材１０１の内部に取付けられるジョイント金具１０２と外部の両者に掛け渡して取付けられるＴ型ジョイント１０３を用いてビス１０４止めされる。また、梁部材１０５の途中の両側に別の２つの梁部材１０１、１０６を突き合わせる場合には、ジョイント金具１０２とクロスジョイント１０７を用いてビス１０４止めされる。
【０００４】
【発明が解決しようとする課題】
したがって、従来の梁構造により、上述した各種ジョイント部分のそれぞれに多数のビスの使用が要求され、また、ビス止めする位置を合わせる作業も要求されるので、ビス止め作業に長時間を要し、作業性の改善が要望されている。また、クリーンルームに用いられる天井パネルの縁部を支持する場合には、ビス止めにより行われるため切り屑が無数発生し、その切り屑がクリーンルームの床面上に落下するだけでなく、梁部材およびジョイント部材等に付着したまま残るため、作業の終了後に掃除を行っても、半導体の製造中に、部屋隅に残った小さな切り屑が舞い上がることにより、或いは梁部材およびジョイント部材等に付着して残った切り屑が落下することにより、クリーンルームをクリーンな状態にすることが困難であった。
【０００５】
本発明は、このような従来技術の課題を解消するためになされたもので、作業性の改善を図ることができ、しかも切り屑の発生を抑制して清浄性を向上させることができる天井パネル用梁構造を提供することを目的とする。
【０００６】
【課題を解決するための手段】
本発明の天井パネル用梁構造は、天井パネルの縁部を支持するための天井パネル用梁構造であって、ルーム天井に吊り下げられる長尺のもので、幅方向に間隔をあけて並設される主梁部材と、該主梁部材の隣り合うもの同士に両端部が連結される副梁部材とを有し、上記主梁部材は、幅方向の両側の少なくとも一方に長手方向に沿って、副梁部材の端部を係止させる第１凹溝を有し、上記副梁部材は、両端部のそれぞれに、上記第１凹溝に入って係止される第１係止部を有し、更に、第１係止部が第１凹溝に入って係止される状態を、機械的な変位により保持するロック手段を具備することを特徴とする。
【０００７】
この発明梁構造による場合には、幅方向に隣り合う主梁部材の第１凹溝に副梁部材の第１係止部を係止させ、その係止状態を、ロック手段の機械的な変位により保持すると、幅方向に隣り合う主梁部材に両端が係止状態で副梁部材が取付けられる。ここで、機械的な変位とは、スライドまたは揺動などによる変位をいう。よって、ビスを使用しないため、切り屑の発生が抑制され、クリーンルームに適用してもクリーンルームの清浄性を向上させることができ、しかもビス止め作業が要らず、隣り合う主梁部材の第１凹溝に副梁部材の第１係止部を係止してロック手段を機械的に変位させるだけで主梁部材と副梁部材の両者の連結ができるので、作業性の改善を図り得る。
【０００８】
本発明の天井パネル用梁構造において、前記第１凹溝は上方が開口したもので、前記第１係止部は上記第１凹溝に上方から入る鉤形状に形成され、前記ロック手段は主梁部材の副梁部材よりも上方位置に設けた係合部に上端部を係合させ、その状態で揺動させることで下端部が副梁部材の上方への移動を防止する構成とすることができる。
【０００９】
この構成にあっては、上方が開口した主梁部材の第１凹溝に、副梁部材における第１係止部の鉤状部材を上方から入れ、ロック手段の上端部を、主梁部材の副梁部材よりも上方位置に設けた係合部に係合させ、その状態でロック手段を揺動させることで下端部が副梁部材の上側への移動を防止する、つまり第１凹溝に係止部が係止した状態をロックするようになる。
【００１０】
本発明の天井パネル用梁構造において、前記第１凹溝および前記第１係止部が、高さを異ならせて複数設けられている構成とすることができる。
【００１１】
この構成にあっては、第１凹溝と第１係止部とが高さ位置を変えて複数設けられ、つまり上下方向位置が異なる複数箇所で主梁部材と副梁部材が連結されるため、副梁部材が傾くことが防止され、これにより両者の連結状態がより確実に保持される。
【００１２】
本発明の天井パネル用梁構造において、主梁部材は、その幅方向の両側の少なくとも一方に、副梁部材の端部が載置される載置部を有し、その載置部に副梁部材の端部を上方から載置させたとき、副梁部材の第１係止部のうちの一つが主梁部材の該当する第１凹溝に入って係止されると同時に、副梁部材の残りの第１係止部が主梁部材の残りの該当する第１凹溝に入って係止されるように構成することができる。
【００１３】
この構成にあっては、載置部に副梁部材の端部を上方から載置させると、第１凹溝のうちの一つと第１係止部のうちの一つが係止すると同時に、残りの第１凹溝と残りの第１係止部とが係止するので、作業性の向上が図れる。
【００１４】
本発明の天井パネル用梁構造において、前記第１凹溝は上方が開口したもので、前記第１係止部は前記第１凹溝に入って係止される鉤形状に形成されたものであり、前記ロック手段は、前記主梁部材の幅方向の両側の少なくとも一方に長手方向に沿って設けられた、側方が開口した第２凹溝と、前記副梁部材の長手方向に沿って設けられた第３凹溝にスライド可能に取付けられ、副梁部材の端部から外方に突出させることで上記第２凹溝に入る連結棒とを有するものである構成とすることができる。
【００１５】
この構成にあっては、主梁部材の第１凹溝に副梁部材の第１係止部を係止した状態で、第３凹溝に取付けた連結棒をスライドさせて、各主梁部材の側方に開口した第２凹溝に連結棒の一部（先端部）を挿入させることにより、副梁部材が主梁部材に連結される。よって、作業性の改善を図り得る。
【００１６】
本発明の天井パネル用梁構造において、主梁部材は、その幅方向の両側の少なくとも一方に、副梁部材の端部が載置される載置部を有し、その載置部に副梁部材の端部を上方から載置させたとき、副梁部材の係止部が主梁部材の第１凹溝に入って係止されるとともに、副梁部材の第３凹溝が主梁部材の第２凹溝に一致する高さになるように構成することができる。
【００１７】
この構成にあっては、主梁部材の載置部に副梁部材の端部を上方から載置させたとき、副梁部材の係止部が主梁部材の第１凹溝に入って係止されるようになっているので、隣り合う主梁部材の載置部に副梁部材の両端部を上方から載置すると、各主梁部材の上方に開口した第１凹溝に副梁部材の係止部が自ずと入って係止し、主梁部材と副梁部材の両者が連結される。また、その連結時、副梁部材の第３凹溝と主梁部材の第２凹溝の高さが一致するので、第３凹溝にスライド可能に取付けられた連結棒を、主梁部材の第２凹溝に容易に挿入させることが可能となり、作業性が大幅に向上することとなる。
【００１８】
本発明の天井パネル用梁構造において、前記載置部の上方に第２凹溝が、その第２凹溝の上に第１凹溝が形成されており、第２凹溝は第１凹溝よりも載置部寄りの位置に設けられている構成とすることができる。
【００１９】
この構成にあっては、第２凹溝と連結棒の連結部分と、これとは上下方向位置が異なる前記第１係止部と第１凹溝の係止部分との２位置の間の距離を大きくとることが可能となり、これにより副梁部材の傾き防止がより確実とされる。
【００２０】
本発明の天井パネル用梁構造において、副梁部材の端部の下端が、主梁部材の載置部の厚み分だけ切欠かれていて、主梁部材に副梁部材の端部を連結させた状態で、主梁部材の下面と副梁部材の下面とが面一となるように構成することができる。
【００２１】
この構成による場合には、主梁部材に連結された副梁部材の下面と主梁部材の下面とを面一にすることが可能となり、凹凸の無い綺麗な梁構造とすることが可能となる。
【００２２】
本発明の天井パネル用梁構造において、副梁部材の端部の下端が主梁部材の載置部の厚み分だけ切欠かれている部分の該端部からの長さが、主梁部材の載置部の幅寸法とほぼ一致するように設定されている構成とすることができる。
【００２３】
この構成にあっては、主梁部材と副梁部材の端部とを連結した状態において、主梁部材の載置部の端と副梁部材の切欠かれている部分の端とがほぼ一致するので、両端の間に隙間がほぼ無い状態にすることが可能となる。よって、主梁部材の載置部を利用して天井パネルを載せた場合に、ゴミが落下する隙間を無くすることが可能となり、クリーンルームに適用してもクリーンルームの清浄性を極めて向上させることができる。
【００２４】
本発明の天井パネル用梁構造において、前記主梁部材は、幅方向の両側の少なくとも一方に長手方向に沿って第４凹溝が形成され、該第４凹溝にスライド可能に第２連結棒が取付けられ、該第２連結棒を介して長手方向に並設される主梁部材同士が連結される構成とすることができる。
【００２５】
この構成にあっては、長手方向に並設される主梁部材の端面同士を突き合わせ、第４凹溝にスライド可能に取付けられた第２連結棒をスライドさせて両主梁部材の第４凹溝に、第２連結棒の片側半分ともう片側半分を入れた状態にすることで、主梁部材を、その長手方向に並設させることができる。
【００２６】
本発明の天井パネル用梁構造において、前記主梁部材は、幅方向の両側の少なくとも一方に長手方向に沿って第５凹溝が形成され、該第５凹溝は、円弧状であって、開口を内奥部よりも狭くして形成され、前記ロック手段は、上記第５凹溝に取付けられる、断面が概略円弧状をした取付部が、一端側の縁に沿って設けられたものであり、該取付部がその曲率半径を上記第５凹溝の曲率半径とほぼ同一に、かつ取付部の一部外周にその長手方向に沿って上記開口を通すための切欠き部が形成されている構成とすることができる。
【００２７】
この構成にあっては、上方が開口した主梁部材の第１凹溝に、副梁部材における第１係止部の鉤状部材を上方から入れ、ロック手段の取付部を、切欠き部が開口とほぼ直交する状態にして第５凹溝に入れてロック手段を揺動させることで、ロック手段が副梁部材の上側への移動を防止する、つまり第１凹溝に係止部が係止した状態をロックするようになる。
【００２８】
【発明の実施の形態】
以下、本発明の実施形態を具体的に説明する。
【００２９】
（第１実施形態）
図１は本発明の第１実施形態に係る天井パネル用梁構造の連結部分を示す断面図であり、図２はその天井パネル用梁構造の組立状態を説明するための図（斜視図）である。なお、図２は一方の連結部分を示している。
【００３０】
この天井パネル用梁構造１は、クリーンルームの天井に採用されていて、天井パネル２の縁部を支持するものであり、天井に吊り下げられる長尺のもので、幅方向に間隔をあけて並設される主梁部材１０と、その主梁部材１０の隣り合うもの同士に両端部が連結される副梁部材２０と、その副梁部材２０にスライド可能に取付けられ、副梁部材２０の両端部から外方に突出させることで上記主梁部材１０と副梁部材２０との結合状態をロックするために用いられるロック手段としての連結棒３０とを有する。
【００３１】
図３は主梁部材１０を示す斜視図で、図４（ａ）は図３の主梁部材１０の左端面を示す側面図、図４（ｂ）はその主梁部材１０の下部部分Ａを拡大して示す側面図である。
【００３２】
主梁部材１０は、図４（ａ）に示す左右対称の断面形状を全長にわたり有するとともに長手方向の両端面が凹凸の無い平面的な長尺のもので、例えばアルミニウム等の金属製であり、引き抜き加工または押し出し加工した後に切断されることにより製造されたものである。主梁部材１０の上端部には、上方が開口した取付部１１が形成され、取付部１１の下側には、幅方向中央部に設けた垂下部１２を介して上方が開口した第１凹溝１３が幅方向両側に形成され、各第１凹溝１３の下側には、パネル支持片４０（図１参照）が取付けられる、開口が斜め下向きの取付け溝１４が形成され、各取付け溝１４の下側には幅方向に深さを有する側方が開口した第２凹溝１５が形成され、各第２凹溝１５の下側の下端部には副梁部材２０の端部２１を載置する載置部１６が突出形成されている（図１参照）。また、幅方向両側の載置部１６の間には、長手方向両端を除いて４方が壁で覆われた空洞部１７が設けられ、その空洞部１７を形成する底面１８の上側には、一対の対向片１９が形成されている。これら両対向片１９の対向面には、互いに高さ位置をずらして凹凸部１９ａが形成され（図４（ｂ）参照）、底面１８の両対向片１９の下側部分は、他の箇所よりも薄い薄肉部１８ａとなっている。この薄肉部１８ａおよび両対向片１９は、後述するようにビス止め部として機能する。
【００３３】
かかる主梁部材１０は、天井に上端部が取付けられる棒状部材１２０の下端部に取付けたナット１２１を取付部１１に入れることで天井から吊り下げられる（図１参照）。
【００３４】
図５は、副梁部材２０を示す斜視図で、図６（ａ）はその副梁部材２０を示す正面図、図６（ｂ）はその右側面図である。
【００３５】
この副梁部材２０は、例えばアルミニウム等の金属製であり、引き抜き加工または押し出し加工した後に両端部分を凹凸状に切削加工する等により製造され、側面視および正面視で左右対称のものである。具体的には、図６（ｂ）に示すように、幅方向に離隔した一対の側壁２２、２３を有し、これら両側壁２２、２３の間の上部に天井板部２４が掛け渡され、両側壁２２、２３の下端には、幅方向両側に突出した状態で底板部２５が設けられた断面形状を有し、両側壁２２、２３の長手方向両端における上部には、外側に突出するとともに基端部が切り欠かれた鉤形状に形成された第１係止部としての係止部２６が設けられている。また、底板部２５は、長手方向両端部分が切欠き長さＬ３で切り欠かれ、両側壁２２、２３の長手方向両端の下端２２ａ、２３ａ（前記２１に相当）がむき出し状態となっていて、その下端２２ａ、２３ａは、後述する載置面として機能する。更に、両側壁２２、２３には、所定高さ位置、つまり第２凹溝１５に対応する高さ位置に、第３凹溝２７が内側に突出させて設けられている。この第３凹溝２７は開口よりも内奥部の方が広い円弧状に形成され、その第３凹溝２７には、長手方向から円柱状の連結棒３０が、スライド可能であって、副梁部材２０を傾けても抜け落ちない程度の摩擦力で取付けられている。
【００３６】
次に、上述したように天井に吊り下げられる主梁部材１０の各部と副梁部材２０の各部の関連事項につき、図１および図２に基づき説明する。
【００３７】
副梁部材２０の鉤形の係止部２６は、主梁部材１０の上方が開口した第１凹溝１３に、上側から取付けられる。第１凹溝１３は開口側が内奥側よりも広いテーパー状に形成され、係止部２６の下側は、第１凹溝１３とは逆テーパー状に形成され、係止部２６の第１凹溝１３への取付け状態は、点接触ではなく線接触となるように設定されている。つまり、副梁部材２０の端部の上側をハンマー等で下側に向けて叩くと、第１凹溝１３のテーパー面１３ａと係止部２６のテーパー面２６ａを介して係止部２６が第１凹溝１３の内奥まで入り込み可能となっている。
【００３８】
かかる係止部２６の第１凹溝１３への取付け状態において、副梁部材２０の下端２２ａ、２３ａは、主梁部材１０の載置部１６に載置され、載置面として機能する。載置部１６は、底板部２５と同一厚みに形成されており、下端２２ａ、２３ａを載置部１６に載置すると、載置部１６と底板部２５の下面は面一となる。また、下端２２ａ、２３ａの長手方向長さ、つまり前記切欠き長さＬ３は、載置部１６の幅方向長さＬ４（図４（ａ）参照）にほぼ一致するように設定されており、下端２２ａ、２３ａを載置部１６に載置すると、載置部１６と底板部２５の間に殆ど隙間が無い状態となる。
【００３９】
また、係止部２６の第１凹溝１３への取付け状態において、主梁部材１０の第２凹溝１５と、副梁部材２０の第３凹溝２７との高さ位置が同一となるように設計されており、第２凹溝１５の内径は連結棒３０の外径とほぼ同一寸法となっている。第３凹溝２７に取付けられた連結棒３０に強い力を作用させてスライドさせることにより、連結棒３０の先端部を第２凹溝１５に圧入させることで、連結棒３０が第２凹溝１５から抜け出ないようになっている。上記連結棒３０と第２凹溝１５とは、係止部２６が第１凹溝１３から抜け出るのを防止するロック手段を構成する。上記強い力とは、例えば第３凹溝２７の開口から叩き用の金属部材を差し入れて連結棒３０の基端に当接し、その金属部材をハンマー等により叩くときの力などが相当する。
【００４０】
したがって、天井に幅方向に並設状態で吊り下げられた２つの主梁部材１０の第１凹溝１３に、副梁部材２０の両側の係止部２６を上側から取付けると、これに伴って第２凹溝１５と第３凹溝２７の高さが同一となる。加えて、載置部１６と底板部２５の下面が面一になるとともに載置部１６と底板部２５の間に殆ど隙間が無い状態となる。なお、第１凹溝１３への係止部２６の入り込みが浅い場合は、例えば副梁部材２０の長さ寸法に対して幅方向に並設された主梁部材１０同士の距離が少し長い場合は、ハンマー等で叩くことで、第２凹溝１５と第３凹溝２７の高さが同一とされる。その後、連結棒３０を手作業によりスライドさせると、連結棒３０の先端部が第２凹溝１５に圧入し、連結作業が終了する。
【００４１】
このように第１実施形態の天井パネル用梁構造による場合には、主梁部材１０と副梁部材２０の連結にビスを使用しないので、切り屑の発生が抑制され、クリーンルームに適用してもクリーンルームの清浄性を向上させることができ、しかもビス止め作業が要らず、隣り合う主梁部材１０の第１凹溝１３に副梁部材２０の係止部２６を係止して連結棒３０をスライドさせるだけで主梁部材１０と副梁部材２０の両者の連結ができるので、作業性の改善を図り得る。更に、第２凹溝１５と連結棒３０の連結部分、および係止部２６と第１凹溝１３の係止部分の上下方向位置が異なる２箇所で主梁部材１０と副梁部材２０が連結されるので、副梁部材２０が傾くことが防止され、これにより主梁部材１０と副梁部材２０の両者の連結状態がより確実に保持される。
【００４２】
また、第１実施形態においては、主梁部材１０の載置部１６に副梁部材２０の下端２２ａ、２３ａを上方から載置させたとき、副梁部材２０の係止部２６が主梁部材１０の第１凹溝１３に入って係止されるようになっているので、隣り合う主梁部材１０の載置部１６に副梁部材２０の両端部の下端２２ａ、２３ａを上方から載置するだけで、各主梁部材１０の上方に開口した第１凹溝１３に副梁部材２０の係止部２６が自ずと入って係止し、主梁部材１０と副梁部材２０の両者を連結させ得、このことによっても作業性の改善が図られる。また、その連結時、副梁部材２０の第３凹溝２７と主梁部材１０の第２凹溝１５の高さが一致するので、つまり位置合わせ作業を不要にできるので、第３凹溝２７にスライド可能に取付けられた連結棒３０を、主梁部材１０の第２凹溝１５に容易に挿入させることが可能となり、作業性を大幅に向上させることができる。
【００４３】
また、第１実施形態においては、第２凹溝１５が載置部１６寄りの位置に設けているので、第２凹溝１５と連結棒３０の連結部分と、これとは上下方向位置が異なる係止部２６の第１凹溝１３との係止部分との２位置の間の距離を大きくとることが可能となり、これにより副梁部材２０が傾くことをより確実に防止することができる。
【００４４】
また、第１実施形態においては、載置部１６と底板部２５がほぼ同一厚みに形成され、底板部２５の端部が切り欠かれて副梁部材２０の両側壁２２、２３の下端２２ａ、２３ａが載置面として機能するので、主梁部材１０に副梁部材２０の端部を連結させた状態で、主梁部材１０の載置部１６の下面と副梁部材２０の底板部２５の下面とを面一にすることが可能となり、凹凸の無い綺麗な梁構造とすることが可能となる。
【００４５】
なお、上記パネル支持片４０は、図７に示すように一定幅の長尺のもので、長辺の一端側に断面が概略円弧状をした取付部４１が形成され、その取付部４１の外周部が長手方向に沿って切欠き部４２が形成されている。一方、このパネル支持片４０が取付けられる前記取付け溝１４は、図８に示すように開口１４ａが斜め下向きで、その開口１４ａよりも内奥部が広い円弧状に形成されている。
【００４６】
この取付け溝１４へのパネル支持片４０の取付けは、図８の左側に二点鎖線にて示すように、取付部４１を下側にしてパネル支持片４０を起立姿勢Ｂとし、斜め上方Ｄに移動させて取付部４１を開口１４ａに挿入させる。この起立姿勢Ｂのとき、切欠き部４２は、取付け溝１４の開口１４ａを形成する開口幅方向の両縁部を結ぶ線分方向に対し、取付部４１の曲率中心Ｏと切欠き部４２とを結ぶ直径方向がほぼ平行となるように形成しておく。そして、パネル支持片４０は、上記切欠き部４２と曲率中心Ｏとを結ぶ直径方向を開口１４ａの両縁部を結ぶ線分方向にほぼ平行な状態として開口１４ａに挿入させる。即ち、切欠き部４２と曲率中心Ｏを通る直径寸法Ｌ１は他の部分よりも短く、かつ開口１４ａの幅寸法Ｌ２よりも少し短く設定されており、開口１４ａを通過させることが可能となっている。
【００４７】
その後、パネル支持片４０の取付部４１とは反対側を下方（矢印方向）に押して水平姿勢Ｃとなるように揺動させることで、取付部４１が取付け溝１４に抜け防止状態に取付けられる。この水平姿勢Ｃのとき、前記切欠き部４２が開口１４ａの外側に位置する（外側に露出する）ように、取付部４１に形成しておく。即ち、取付部４１が取付け溝１４から抜け出ないようにし、かつ、切欠き部４２以外の断面円弧状の取付部４１と断面円弧状の空洞の取付け溝１４との接触面積を大きくして取付部４１を取付け溝１４が保持できる強度を増大化させるためである。
【００４８】
そして、図１に示すように水平姿勢Ｃとなったパネル支持片４０の上に、天井パネル２の縁部を載せてビス等により固定することで、天井パネル２が本実施形態の天井パネル用梁構造に支持される。
【００４９】
また、前述した薄肉部１８ａおよび両対向片１９は、以下のようにしてビス止め部として機能する。即ち、薄肉部１８ａの外側からビスの先端を手工具により押し付けつつ回転させると、そのビスにより薄肉部１８ａが破れてビスを通す円形の孔が形成され、両対向片１９の対向面に、互いに高さ位置をずらして形成された凹凸部１９ａにビスのねじ山が係合してビスが締結される。それ故に、ビス止め部として機能する。このビス止め部に取付けられたビスにより、例えば蛍光灯などの光源、間仕切り部材などが固定される。なお、上述したようにパネル支持片４０の上に天井パネル２を固定する場合とビス止め部に光源または間仕切り部材等を固定する場合にはビスを用いるが、そのビスの使用量は、本発明の対象である梁構造にはビスを全く使用しないため従来に比べて僅かである。特に、ビス止め部に光源または間仕切り部材等を固定する場合には、ビス止め部が４方を壁で覆われた空洞部１７の内部に設けられ、空洞部１７の両端の開口には一般に蓋が被せられる故に、ビス止めの際に発生した切り屑が空洞部１７の内部に抜け出ること無く保持されるので、クリーンルームの清浄性を向上させることが可能である。
【００５０】
図９は、主梁部材１０をその長手方向に連結する状態の説明図（分解斜視図）である。上述したパネル支持片４０が取付けられる取付け溝１４の端部に、円柱状をした第２連結棒３１をスライド可能に取付けておき、２つの主梁部材１０の端面同士を突き合わせ、前述した連結棒３０と同様にハンマー等による強い力でスライドさせて、第２連結棒３１の一方側を２つの主梁部材１０の一方１０Ａの取付け溝１４に圧入し、第２連結棒３１の他方側を他方の主梁部材１０Ｂの取付け溝１４に圧入させる。これにより、主梁部材１０をその長手方向に連結させることが可能となる。この第２連結棒３１は、主梁部材１０の両端部のみに取付けられるので、主梁部材１０の中間部にパネル支持片４０を取付ける際に邪魔にならない。更に、連結強度を向上させる場合は、上方が開口した取付部１１の上に、断面コの字状をした連結片３２を、２つの主梁部材１０に跨るように配置し、かつ、その連結片３２の２箇所に予め形成されている取付孔３３のそれぞれの内側にナット３４を配置し、連結片３２の上側からボルト３５をナット３４に螺合させることで、２つの主梁部材１０Ａ、１０Ｂのより強固な連結が可能となる。このような連結により、多数の主梁部材１０の連結が行われる。
【００５１】
なお、上述した第１実施形態では主梁部材として、両側それぞれに第１凹溝、取付け溝、第２凹溝および載置部が形成されたものを用いているが、本発明はこれに限らない。例えば、幅方向に並設される主梁部材のうちの最外側に配置されるものにあっては、上述した第１凹溝、取付け溝、第２凹溝および載置部が片側のみに形成された主梁部材を使用することもできる。
【００５２】
また、上述した第１実施形態では連結棒がスライド可能に取付けられる第３凹溝を副梁部材の全長にわたって設けているが、本発明はこれに限らず、副梁部材の両端部にのみ連結棒のスライドを可能とする範囲で設けてもよい。
【００５３】
（第２実施形態）
図１０は本発明の第２実施形態に係る天井パネル用梁構造の連結部分を示す断面図であり、図１１は第２実施形態の天井パネル用梁構造に用いる主梁部材を示す外観斜視図、図１２は同じく副梁部材を示す外観斜視図、図１３（ａ）は副梁部材を示す正面図、図１３（ｂ）は副梁部材の右側面図、図１４は第２実施形態の天井パネル用梁構造に用いるロック部材を示す外観斜視図である。
【００５４】
この天井パネル用梁構造は、幅方向に間隔をあけて並設される主梁部材５０と、その主梁部材５０の隣り合うもの同士に両端部が連結される副梁部材６０と、主梁部材５０の上部と副梁部材６０の上部との間に揺動させて取付けられ、主梁部材５０と副梁部材６０との結合状態をロックするために用いられるロック手段としての断面Ｌ形のロック部材７０とを有する。
【００５５】
主梁部材５０は、図１１に示す左右対称の断面形状を全長にわたり有するとともに長手方向の両端面が凹凸の無い平面的な長尺のもので、例えばアルミニウム等の金属製であり、引き抜き加工または押し出し加工した後に切断されることにより製造されたものである。主梁部材５０の上端部には、上方が開口した取付部５１が形成され、取付部５１の下側には、幅方向中央部に設けた垂下部５２を介して上方が開口した第１凹溝としての上部凹溝５３が幅方向両側に形成され、各上部凹溝５３の下側には、パネル支持片８０（図１０参照）が取付けられる、開口が斜め下向きの取付け溝（第２実施形態では第４凹溝）５４が形成され、各取付け溝５４の下側には垂下部５２ａと、上方が開口した第１凹溝としての下部凹溝５５とが形成され、各下部凹溝５５の下側の下端部には副梁部材６０の端部６１および天井パネル２（図１０参照）を載置する載置部５６が突出形成されている。また、幅方向両側の載置部５６の間には、長手方向両端を除いて４方が壁で覆われた空洞部５７が設けられている。空洞部５７の下側部分は、他の箇所よりも薄い薄肉部５８ａとなっている。この薄肉部５８ａは、第１実施形態の薄肉部１８ａと同様なビス止め部として機能する。また、取付部５１の幅方向両端の下側には、下側に突出した係合部５１ａが形成されており、また垂下部５２ａの幅方向両側にはロック係止部５２ｂが形成されている。
【００５６】
かかる主梁部材５０は、第１実施形態と同様に、天井に上端部が取付けられる棒状部材１２０の下端部に取付けたナット１２１を取付部５１に入れることで天井から吊り下げられる（図１０参照）。また、主梁部材５０の長手方向への連結は、第１実施形態と同様に取付け溝５４に、図９に示したように第２連結棒３１を取付けて行うことができる。
【００５７】
上記副梁部材６０は、例えばアルミニウム等の金属製であり、引き抜き加工または押し出し加工した後に両端部分を凹凸状に切削加工する等により製造され、側面視および正面視で左右対称のものである。具体的には、図１２および図１３に示すように、上側には天井板部６２の幅方向両端に一対の側壁６３、６３を有し、天井板部６２の下側には垂下部６４が設けられ、垂下部６４の下側には中天井板部６５が設けられていて、中天井板部６５の幅方向両端の下側には側壁６６、６７が形成され、これら両側壁６６、６７の下端には、幅方向両側に突出した状態で底板部６８が設けられた断面形状を有する。垂下部６４の長手方向両端の高さ方向中間部は切欠かれていて、その切欠部６４ａの上部には、基端部が上側に切り欠かれて鉤形状に形成された第１係止部としての上部係止部６９Ａが設けられている。また、底板部６８は、長手方向両端部分が切欠き長さＬ５で切り欠かれ、両側壁６６、６７の長手方向両端の下端６６ａ、６７ａ（前記６１に相当）がむき出し状態となっていて、その下端６６ａ、６７ａは、後述する載置面として機能する。その下端６６ａ、６７ａの長手方向端部には、下側が開口するように上側に切欠かれて鉤形状に形成された第１係止部としての下部係止部６９Ｂ、６９Ｃが設けられている。つまり、この第２実施形態では、第１係止部が上下２位置に高さを異ならせて設けられている。
【００５８】
上記ロック部材７０は、図１４に示すように概略断面Ｌ形状に形成され、上端部７１は前記主梁部材５０の係合部５１ａに入る二股状に形成されており、下端部７２の先端には下側に突出した係合部７３が設けられている。このロック部材７０は、図１０に示すように、係合部５１ａに上端部７１を係合させて、下端部７２で副梁部材６０の天井板部６２が上側へ移動するのを防止するもので、上端部７１〜下端部７２までの長さＬ８は所定値に設定されており、係合部７３は、後述するように垂下部５２と上部係止部６９Ａとの間に形成される隙間Ｌ７に入るようになっている。
【００５９】
次に、上述したように天井に吊り下げられる主梁部材５０の各部と副梁部材６０の各部の関連事項につき、図１０に基づき説明する。
【００６０】
副梁部材６０の鉤形の上部係止部６９Ａは、主梁部材５０の上方が開口した上部凹溝５３に、上側から取付けられる。上部凹溝５３は開口側が内奥側よりも広いテーパー状に形成され、上部係止部６９Ａの下側は、上部凹溝５３とは逆テーパー状に形成され、上部係止部６９Ａの上部凹溝５３への取付け状態は、点接触ではなく線接触となるように設定されている。つまり、副梁部材６０の端部の上側を、ハンマー等で下側に向けて叩くと、上部係止部６９Ａのテーパー面６９Ａａと上部凹溝５３のテーパー面５３ａを介して上部係止部６９Ａが内奥まで入り込み可能となっている。
【００６１】
かかる上部係止部６９Ａの上部凹溝５３への取付けの際、これと同時に、副梁部材６０の鉤形の下部係止部６９Ｂ、６９Ｃは、主梁部材５０の上方が開口した下部凹溝５５の２箇所に、上側から取付けられる。下部凹溝５５は開口側が内奥側よりも広いテーパー状に形成され、下部係止部６９Ｂ、６９Ｃの下側は、下部凹溝５５とは逆テーパー状に形成され、下部係止部６９Ｂ、６９Ｃの下部凹溝５５への取付け状態は、線接触となるように設定されている。つまり、副梁部材６０の端部の上側をハンマー等で下側に向けて叩くと、下部凹溝５５のテーパー面５５ａと下部係止部６９Ｂ、６９Ｃの各テーパー面６９Ｂａ、６９Ｃａを介して下部係止部６９Ｂ、６９Ｃが内奥まで入り込み可能となっている。
【００６２】
また、下部係止部６９Ｂ、６９Ｃは、図１０に示すように、前記空洞部５７を形成する側壁５７ａに当接またはそれに近い状態となり、上部係止部６９Ａは垂下部５２との間に隙間Ｌ７が形成される。この隙間Ｌ７は、垂下部５２と空洞部５７との幅方向寸法の違いにより形成されるものである。
【００６３】
また、上部係止部６９Ａの上部凹溝５３への取付け状態において、副梁部材６０の下端６６ａ、６７ａは、主梁部材５０の載置部５６に載置され、載置面として機能する。載置部５６は、底板部６８と同一厚みに形成されており、下端６６ａ、６７ａを載置部５６に載置すると、載置部５６と底板部６８の下面は面一となる。また、下端６６ａ、６７ａの長手方向長さ、つまり前記切欠き長さＬ５は、載置部５６の幅方向長さＬ６（図１０参照）に一致するように設定されており、下端６６ａ、６７ａを載置部５６に載置すると、載置部５６と底板部６８の間に殆ど隙間が無い状態となる。
【００６４】
また、上部係止部６９Ａの上部凹溝５３への取付け状態において、主梁部材５０の係合部５１ａから副梁部材６０の天井板部６２までの距離が、ロック部材７０の前記長さＬ８とほぼ同一となるように設計されており、ロック部材７０の取付けは以下のように行われる。すなわち、図１５に示すようにロック部材７０の上端部７１を係合部５１ａに係合させ、下側の係合部７３を天井板部６２の上に当接するように取付ける。そして、ロック部材７０の下端側を白抜矢符に示すようにハンマー等で叩くて、係合部７３を前記隙間Ｌ７に入れる。これにより、上端部７１と係合部７３が固定されてロック部材７０が抜け防止されると共に、このロツク部材７０の固定により副梁部材６０が上方へ移動した主梁部材５０との連結状態が非連結状態となるのを防止する。つまり、上部係止部６９Ａが上部凹溝５３に連結されている状態、および、下部係止部６９Ｂ、６９Ｃが下部凹溝５５に連結されている状態をロックする。
【００６５】
したがって、天井に幅方向に並設状態で吊り下げられた２つの主梁部材５０の上部凹溝５３に、副梁部材６０の上部係止部６９Ａを上側から取付けると、これに伴って下部凹溝５５に下部係止部６９Ｂ、６９Ｃが取付られる。加えて、載置部５６と底板部６８の下面が面一になるとともに載置部５６と底板部６８の間に殆ど隙間が無い状態となり、更に主梁部材５０の係合部５１ａと副梁部材６０の天井板部６２との間の距離がロック部材７０の長さＬ８とほぼ同一となる。なお、上部凹溝５３への上部係止部６９Ａの入り込みが浅い場合は、例えば副梁部材６０の長さ寸法に対して幅方向に並設された主梁部材同士の間の距離が少し長い場合は、ハンマー等で叩くことで上部係止部６９Ａが上部凹溝５３の内奥部へ入り込んだ状態とされる。このことは、下部係止部６９Ｂ、６９Ｃと下部凹溝５５との間でも同様に同時に起こる。その後、ロック部材７０の上端部７１を係合部５１ａに係合させ、下側の係合部７３を天井板部６２の上に当接するように取付け、その状態のロック部材７０の下側をハンマー等で叩いてロック部材７０を揺動させ、係合部７３を前記隙間Ｌ７に入れてロック部材７０を固定させると、連結作業が終了する。
【００６６】
このように第２実施形態の天井パネル用梁構造による場合には、主梁部材５０と副梁部材６０の連結にビスを使用しないので、切り屑の発生が抑制され、クリーンルームに適用してもクリーンルームの清浄性を向上させることができ、しかもビス止め作業が要らず、隣り合う主梁部材５０の上部凹溝５３に副梁部材６０の上部係止部６９Ａを係止すると共に下部凹溝５５に下部係止部６９Ｂ、６９Ｃを係止し、その後ロック部材７０を揺動により取付けるだけで主梁部材５０と副梁部材６０の両者の連結ができるので、作業性の改善を図り得る。更に、下部凹溝５５と下部係止部６９Ｂ、６９Ｃの係止部分、および上部係止部６９Ａと上部凹溝５３の係止部分の上下方向位置が異なる２箇所で主梁部材５０と副梁部材６０が連結されるので、副梁部材６０が傾くことが防止され、これにより主梁部材５０と副梁部材６０の両者の連結状態がより確実に保持される。
【００６７】
また、第２実施形態においては、主梁部材５０の載置部５６に副梁部材６０の下端６６ａ、６７ａを上方から載置させたとき、副梁部材６０の上部係止部６９Ａが主梁部材５０の上部凹溝５３に入って係止されるようになっているので、隣り合う主梁部材５０の載置部５６に副梁部材６０の両端部の下端６６ａ、６７ａを上方から載置するだけで、各主梁部材５０の上方に開口した上部凹溝５３および下部凹溝５５に副梁部材６０の上部係止部６９Ａおよび下部係止部６９Ｂ、６９Ｃが自ずと入って係止し、主梁部材５０と副梁部材６０の両者を連結させ得、このことによっても作業性の改善が図られる。
【００６８】
また、第２実施形態においては、下部凹溝５５が上部凹溝５３よりも載置部５６寄りの位置に設けているので、下部凹溝５５と下部係止部６９Ｂ、６９Ｃとの係止部分と、これとは上下方向位置が異なる上部係止部６９Ａの上部凹溝５３との係止部分との２位置の間の距離を大きくとることが可能となり、これにより副梁部材６０が傾くことをより確実に防止することができる。
【００６９】
また、第２実施形態においては、載置部５６と底板部６８が同一厚みに形成され、底板部６８の端部が切り欠かれて副梁部材６０の両側壁６６、６７の下端６６ａ、６７ａが載置面として機能するので、主梁部材５０に副梁部材６０の端部を連結させた状態で、主梁部材５０の載置部５６の下面と副梁部材６０の底板部６８の下面とを面一にすることが可能となり、凹凸の無い綺麗な梁構造とすることが可能となる。
【００７０】
なお、上記パネル支持片８０は、図１０および図１６に示すように断面Ｌ形状の長尺のもので、一端側（図上側）に断面が概略円弧状をした取付部８１が形成され、その取付部８１の外周部が長手方向に沿って切欠き部８２が形成されている。また、曲折方向とは反対の外側には固定用の鉤状部８３が設けられている。一方、このパネル支持片８０が取付けられる前記取付け溝５４は、図１６に示すように開口５４ａが斜め下向きで、その開口５４ａよりも内奥部が広い円弧状に形成されている。
【００７１】
この取付け溝５４へのパネル支持片８０の取付けは、図１６に一点鎖線にて示すように、パネル支持片８０の取付部８１とは反対側を上側にしてパネル支持片８０を起立姿勢Ｅとし、斜め上方Ｆに移動させて取付部８１を開口５４ａに挿入させる。この起立姿勢Ｅのとき、切欠き部８２は、取付け溝５４の開口５４ａを形成する開口幅方向の両縁部を結ぶ線分方向に対し、取付部８１の曲率中心Ｏと切欠き部８２とを結ぶ直径方向がほぼ平行となるように形成しておく。そして、パネル支持片８０は、上記切欠き部８２と曲率中心Ｏとを結ぶ直径方向を開口５４ａの両縁部を結ぶ線分方向にほぼ平行な状態として開口５４ａに挿入させる。即ち、切欠き部８２と曲率中心Ｏを通る直径寸法Ｌ９は他の部分よりも短く、かつ開口５４ａの幅寸法Ｌ１０よりも少し短く設定されており、開口５４ａを通過させることが可能となっている。
【００７２】
その後、パネル支持片８０の取付部８１とは反対側を下方（矢印方向）に押して水平姿勢Ｇとなるように揺動させることで、取付部８１が取付け溝５４に抜け防止状態に取付けられる。また、鉤状部８３をロック係止部５２ｂに係止させることで、水平姿勢Ｇを保持するようにする。この水平姿勢Ｇのとき、前記切欠き部８２が開口５４ａの外側に位置する（外側に露出する）ように、取付部８１に形成しておく。即ち、取付部８１が取付け溝５４から抜け出ないようにし、かつ、切欠き部８２以外の断面円弧状の取付部８１と断面円弧状の空洞の取付け溝５４との接触面積を大きくして取付部８１を取付け溝５４が保持できる強度を増大化させるためである。
【００７３】
そして、図１０に示すように水平姿勢Ｇとなったパネル支持片８０が、載置部５６及び底板部６８の上に配置された天井パネル２の縁部を、その上側から押圧することで、天井パネル２が本実施形態の天井パネル用梁構造に支持される。
【００７４】
（第３実施形態）
上述した第２実施形態では取付け溝５４にパネル支持片８０を取付け（図１０参照）、パネル支持片８０にてパネル２を支持する構成としているが、第３実施形態においては、取付け溝５４を利用してロック部材およびパネル支持片を取付けるように構成している。
【００７５】
図１７は本発明の第３実施形態に係る天井パネル用梁構造の連結部分を示す断面図であり、図１８は図１７のＨ部分を拡大して示す図、図１９は第３実施形態の天井パネル用梁構造に用いる主梁部材を示す外観斜視図、図２０は同じく副梁部材を示す外観斜視図、図２１（ａ）は副梁部材を示す正面図、図２１（ｂ）は副梁部材の右側面図、図２２（ａ）は第３実施形態の天井パネル用梁構造に用いるロック部材を示す正面図、図２２（ｂ）はロック部材を示す左側面図、図２３は第３実施形態の天井パネル用梁構造に用いるパネル支持片を示す正面図である。
【００７６】
本実施形態における主梁部材５０Ａは、第２実施形態の主梁部材５０における垂下部５２ａに設けていたロック係止部５２ｂが省略され、空洞部５７の上面における幅方向両側にロック係止部５２ｂ’が設けられていて、他の部分は第２実施形態の主梁部材５０と同一構成となっている（図１７〜図１９参照）。また、この主梁部材５０Ａ同士の連結も第２実施形態と同様にして行われている。
【００７７】
また、本実施形態における副梁部材６０Ａは、第２実施形態の副梁部材６０における垂下部６４に設けている切欠部６４ａが概略矩形状に形成されているのに対し、下側が広い概略三角形状の切欠部６４ａ’となっている点を除いて、他の部分が第２実施形態の副梁部材６０と同一に構成されている（図２０および図２１参照）。
【００７８】
更に、第３実施形態においては、主梁部材５０Ａの取付け溝（第３実施形態では第５凹溝）５４には、副梁部材６０Ａを連結する箇所にロック部材７５が取付けられ、パネル２を支持する箇所にパネル支持片８５が取付けられる。なお、図１７においては、主梁部材５０Ａの一方（図右側）の取付け溝５４にロック部材７５を、主梁部材５０Ａの他方（図左側）の取付け溝５４にパネル支持片８５を取付けた状態を示しているが、ロック部材７５とパネル支持片８５の取付け位置は、並設された２つの主梁部材５０Ａと、これらに両端が連結された２つの隣り合う副梁部材６０Ａとで矩形状に囲まれた部分にパネル２が配設される故に、異なる位置とされる。
【００７９】
上記ロック部材７５は、図２２に示すように断面Ｌ形状の長尺のもので、一端側（図上側）に断面が概略円弧状をした取付部７６が形成され、その取付部７６の外周部が長手方向に沿って切欠き部７７が形成されている。なお、切欠き部７７と曲率中心Ｏを通る直径寸法Ｌ９は他の部分よりも短く、かつ開口５４ａの幅寸法Ｌ１０（図１７参照）よりも少し短く設定されており、開口５４ａを通過させることが可能となっている。
【００８０】
また、ロック手段７５の他端側（図下側）には固定用の鉤状部７８が設けられており、長さ方向の中央部には逃げ溝７９が形成されている。この逃げ溝７９は、切欠部６４ａ’の下辺部６４ｂとの接触を避けるために設けられている（図２０および図２４参照）。一方、このロック部材７５が取付けられる取付け溝５４は、図１７に示すように開口５４ａが斜め下向きで、その開口５４ａよりも内奥部が広い円弧状に形成されている。
【００８１】
この取付け溝５４へのロック部材７５の取付けは、副梁部材６０Ａの端部が連結される箇所において、第２実施形態におけるパネル支持片８０と同様に行われ、二点鎖線で示すように取付けられる。その後、ロック部材７５を、その下端側が主梁部材５０Ａに近づくように揺動させ、実線で示すように鉤状部７８をロック係止部５２ｂ’に係止させる（図１８参照）。これにより、図２４に示すようにロック部材７５の下端が、副梁部材６０Ａの端部における中天井板部６５を下向きに押付け、かつ逃げ溝７９に下辺部６４ｂが入る。その結果、ロック部材７５が副梁部材６０Ａの上側への移動を防止する、つまり第１凹溝５３、５５に係止部６９Ａ、６９Ｂ、６９Ｃが係止した状態をロックするようになり、副梁部材６０Ａが主梁部材５０Ａに連結される。
【００８２】
パネル支持片８５は、図２３に示すように断面Ｌ形状の長尺のもので、一端側（図上側）に断面が概略円弧状をした取付部８６が形成され、その取付部８６の外周部が長手方向に沿って切欠き部８７が形成されている。なお、切欠き部８７と曲率中心Ｏを通る直径寸法Ｌ９は他の部分よりも短く、かつ開口５４ａの幅寸法Ｌ１０よりも少し短く設定されており（図１７参照）、開口５４ａを通過させることが可能となっている。また、曲折方向にはパネル押さえ部８８が形成され、曲折方向とは反対側には固定用の鉤状部８９が設けられている。
【００８３】
このパネル支持片８５は、隣り合う２つの副梁部材６０Ａの各端部が主梁部材５０Ａに連結される部分を避けた箇所において、前記取付け溝５４に第２実施形態のパネル支持片８０と同様にして取付けられることで（但し、図１８に示すように鉤状部８９がロック係止部５２ｂ’に係止される）、図１７に示すように載置部５６及び底板部６８の上に配置された天井パネル２の縁部を、その上側から押圧する。これにより、天井パネル２が本実施形態の天井パネル用梁構造に支持される。
【００８４】
したがって、この第３実施形態による場合にも、第２実施形態と同様な効果が得られることは勿論である。
【００８５】
なお、上述した第３実施形態では取付け溝５４を、ロック部材７５および第２連結棒３１の取付けに共用する構成としているが、本発明はこれに限らず、ロック部材７５を取付ける取付け溝と、第２連結棒３１を取付ける取付け溝とを別々に設けた構成としてもよい。
【００８６】
また、上述した第２、第３実施形態では主梁部材として、両側それぞれに上部凹溝、取付け溝、下部凹溝および載置部が形成されたものを用いているが、本発明はこれに限らない。例えば、幅方向に並設される主梁部材のうちの最外側に配置されるものにあっては、上述した上部凹溝、取付け溝、下部凹溝および載置部が片側のみに形成された主梁部材を使用することもできる。
【００８７】
また、上述した第２、第３実施形態では第１凹溝と第１係止部として、上部凹溝と上部係止部および下部凹溝と下部係止部の２組を上下に設けているが、本発明はこれに限らず、これら２組の一方のみを設けた構成としてもよい。或いは、更に３組以上を上下位置を異ならせて設けてもよい。
【００８８】
【発明の効果】
以上詳述したように、本発明による場合には、幅方向に隣り合う主梁部材の第１凹溝に副梁部材の第１係止部を係止させ、その係止状態を、ロック手段の機械的な変位により保持すると、幅方向に隣り合う主梁部材に両端が係止状態で副梁部材が取付けられる。よって、ビスを使用しないため、切り屑の発生が抑制され、クリーンルームに適用してもクリーンルームの清浄性を向上させることができ、しかもビス止め作業が要らず、隣り合う主梁部材の第１凹溝に副梁部材の第１係止部を係止してロック手段を機械的に変位させるだけで主梁部材と副梁部材の両者の連結ができるので、作業性の改善を図ることができる。
【図面の簡単な説明】
【図１】本発明の第１実施形態に係る天井パネル用梁構造の連結部分を示す断面図であ２る。
【図２】本発明の第１実施形態に係る天井パネル用梁構造の組立状態を説明するための図（斜視図）である。
【図３】本発明の第１実施形態に係る天井パネル用梁構造に用いられる主梁部材を示す斜視図である。
【図４】（ａ）は図３の主梁部材の左端面を示す側面図、（ｂ）はその主梁部材の下部部分Ａを拡大して示す側面図である。
【図５】本発明の第１実施形態に係る天井パネル用梁構造に用いられる副梁部材を示す斜視図である。
【図６】（ａ）は図５の副梁部材を示す正面図、（ｂ）はその右側面図である。
【図７】本発明の第１実施形態に係る天井パネル用梁構造に用いられるパネル支持片を示す斜視図である。
【図８】図７のパネル支持片の取付け方と各部寸法を示す図である。
【図９】本発明の天井パネル用梁構造に用いられる主梁部材をその長手方向に連結する状態の説明図（分解斜視図）である。
【図１０】本発明の第２実施形態に係る天井パネル用梁構造の連結部分を示す断面図である。
【図１１】本発明の第２実施形態の天井パネル用梁構造に用いる主梁部材を示す外観斜視図である。
【図１２】本発明の第２実施形態の天井パネル用梁構造に用いる副梁部材を示す外観斜視図である。
【図１３】（ａ）は本発明の第２実施形態の天井パネル用梁構造に用いる副梁部材を示す正面図、（ｂ）は副梁部材の右側面図である。
【図１４】本発明の第２実施形態の天井パネル用梁構造に用いるロック部材を示す外観斜視図である。
【図１５】本発明の第２実施形態に係る天井パネル用梁構造に用いられるロック部材の取付け方を説明するための図である。
【図１６】本発明の第２実施形態に係る天井パネル用梁構造に用いられるパネル支持片の取付け方を説明するための図である。
【図１７】本発明の第３実施形態に係る天井パネル用梁構造の連結部分を示す断面図である。
【図１８】図１７のＨ部分を拡大して示す図である。
【図１９】本発明の第３実施形態の天井パネル用梁構造に用いる主梁部材を示す外観斜視図である。
【図２０】本発明の第３実施形態の天井パネル用梁構造に用いる副梁部材を示す外観斜視図である。
【図２１】（ａ）は副梁部材を示す正面図、（ｂ）は副梁部材の右側面図である。
【図２２】（ａ）は本発明の第３実施形態の天井パネル用梁構造に用いるロック部材を示す正面図、（ｂ）はロック部材を示す左側面図である。
【図２３】本発明の第３実施形態の天井パネル用梁構造に用いるパネル支持片を示す斜視図である。
【図２４】本発明の第３実施形態のロック部材が副梁部材を押付けた状態を示す図である。
【図２５】従来の天井パネル用梁構造の組立て方を示す分解斜視図である。
【符号の説明】
１　天井パネル用梁構造
２　天井パネル
１０、５０、５０Ａ　主梁部材
１３　第１凹溝
１４　取付け溝
１５　第２凹溝
１６、５６　載置部
２０、６０、６０Ａ　副梁部材
２２ａ、２３ａ、６６ａ、６７ａ　下端
２６　係止部（第１係止部）
２７　第３凹溝
３０　連結棒（ロック手段）
３１　第２連結棒
４０、８０、８５　パネル支持片
５３　上部凹溝（第１凹溝）
５４　取付け溝（第４凹溝、第５凹溝）
５５　下部凹溝（第１凹溝）
６９Ａ　上部係止部（第１係止部）
６９Ｂ、６９Ｃ　下部係止部（第１係止部）
７０、７５　ロック部材
【図１】
2004003252.tif 000003
【図２】
2004003252.tif 000004
【図３】
2004003252.tif 000005
【図４】
2004003252.tif 000006
【図５】
2004003252.tif 000007
【図６】
2004003252.tif 000008
【図７】
2004003252.tif 000009
【図８】
2004003252.tif 000010
【図９】
2004003252.tif 000011
【図１０】
2004003252.tif 000012
【図１１】
2004003252.tif 000013
【図１２】
2004003252.tif 000014
【図１３】
2004003252.tif 000015
【図１４】
2004003252.tif 000016
【図１５】
2004003252.tif 000017
【図１６】
2004003252.tif 000018
【図１７】
2004003252.tif 000019
【図１８】
2004003252.tif 000020
【図１９】
2004003252.tif 000021
【図２０】
2004003252.tif 000022
【図２１】
2004003252.tif 000023
【図２２】
2004003252.tif 000024
【図２３】
2004003252.tif 000025
【図２４】
2004003252.tif 000026
【図２５】
2004003252.tif 000027